(57)【要約】【課題】外観に優れ、配線を綺麗に仕舞うことができ、配線作業を容易に行うことができる棚装置を提供する。【解決手段】壁２に取り付けられる支柱９と、支柱９の両側に設けられて支柱９よりも前方に突出する棚受けアーム３３と、両棚受けアーム３３によって支持される棚板７と、支柱９に取り付けられて支柱９の前側を覆う化粧パネル８を備える。化粧パネル８は両側が支柱９よりも外側方に突出する。各棚受けアーム３３が、支柱９から化粧パネル８の後方を通過して化粧パネル８の側縁よりも外方に突出する位置まで引き出された引出部３５と、引出部３５の前記化粧パネル８の後方より引き出された端部から前方に向けて突出する突出部３６で構成される。突出部３６で前記棚板７が支持される。化粧パネル８と後方の壁２との間に化粧パネル８の側縁と壁２との間から開口する配線収納用空所５０が形成される。【選択図】        図１
2010162074.tif 000002
【特許請求の範囲】
【請求項１】
壁に取り付けられる支持材と、支持材の両側に設けられて支持材よりも前方に突出する棚受けアームと、両棚受けアームによって支持される棚板と、支持材に取り付けられて支持材の前側を覆う化粧パネルを備え、化粧パネルは両側が支持材よりも外側方に突出し、前記各棚受けアームが、支持材から化粧パネルの後方を通過して化粧パネルの側縁よりも外方に突出する位置まで引き出された引出部と、該引出部の前記化粧パネルの後方より引き出された端部から前方に向けて突出する突出部で構成され、該突出部で前記棚板が支持され、前記化粧パネルと後方の壁との間に化粧パネルの側縁と壁との間から開口する配線収納用空所が形成されることを特徴とする棚装置。
【請求項２】
前記棚受けアームに、化粧パネル側に開口し、引出部の前記配線収納用空所に連通する位置から少なくとも突出部の化粧パネルよりも前方に位置する部位にまで連続する配線収納用溝を形成して成ることを特徴とする請求項１に記載の棚装置。
【請求項３】
前記突出部から他方の突出部側の側方に向かって延びる配線収納部が形成されると共に該配線収納部が棚板よりも後方に配置され、該配線収納部に左右に長い配線用溝が形成されることを特徴とする請求項１又は請求項２に記載の棚装置。
【発明の詳細な説明】
【技術分野】
【０００１】
本発明は壁に沿って設けられる棚装置に関する。
【背景技術】
【０００２】
液晶テレビやプラズマテレビ等の薄型テレビは壁に掛けて設置されることがある。このテレビの周辺機器となるＤＶＤプレーヤーやビデオデッキ等の電気機器を利用する場合、壁に掛けられたテレビの近傍にこれらの機器を載置するための棚を設置する必要がある。
【０００３】
ここで、収納棚のように棚板を受ける支持部材が単に床に載置するだけのものである場合、重量のある載置物を載置するために、支持部材の床への接地面積を大きくして棚装置を強固に設置する必要がある。しかし、この場合は支持部材が厚くなり、薄型テレビを壁に掛けて設置したにもかかわらず、室内に居る人に対して圧迫感を与えて室内空間を狭く感じさせてしまう。
【０００４】
また、例えば特許文献１のように支持部材を壁にビス等で固着して薄型化を図ったラックも利用されている。
【０００５】
このラックは、左右一対の棚柱を横繋ぎ材で繋ぎ、一対の棚柱の夫々に棚板を支持するための前方に突出する棚受けブラケットを取り付けてある。横繋ぎ材はビス等で壁に固着してあり、ラックは強固に設置されている。
【０００６】
また、この特許文献１の一対の棚柱の前面には棚柱の間に架け渡すように化粧パネルを取り付けてあり、この化粧パネルにより横繋ぎ材の前側が覆われている。また、化粧パネルの後方は配線を通すための空所として利用され、テレビと棚板に載置された機器を接続する配線を化粧パネルにて隠すことができるようになっている。
【先行技術文献】
【特許文献】
【０００７】
【特許文献１】特開２００６−６０７５４号公報
【発明の概要】
【発明が解決しようとする課題】
【０００８】
しかし、特許文献１の棚受けブラケットが取り付けられる棚柱は化粧パネルよりも外側方に突出し、外観を害する。このため、特許文献１では、棚柱を化粧材によって隠しているが、化粧材を設けると、材料コストが増加し、また、組立てに手間がかかる。また、棚柱や化粧材は前記配線用の空所の側方を塞ぐように配置されるため、配線用の空所から側方に配線を引き出す際に棚柱や化粧材が邪魔なり、配線作業が難しくなる。
【０００９】
本発明は上記従来の問題点に鑑みてなされたものであって、外観に優れ、配線を綺麗に仕舞うことができ、配線作業を容易に行うことができる棚装置を提供することを課題とする。
【課題を解決するための手段】
【００１０】
上記課題を解決するために本発明の棚装置は、壁２に取り付けられる支持材５と、支持材５の両側に設けられて支持材５よりも前方に突出する棚受けアーム３３と、両棚受けアーム３３によって支持される棚板７と、支持材５に取り付けられて支持材５の前側を覆う化粧パネル８を備え、化粧パネル８は両側が支持材５よりも外側方に突出し、前記各棚受けアーム３３が、支持材５から化粧パネル８の後方を通過して化粧パネル８の側縁よりも外方に突出する位置まで引き出された引出部３５と、該引出部３５の前記化粧パネル８の後方より引き出された端部から前方に向けて突出する突出部３６で構成され、該突出部３６で前記棚板７が支持され、前記化粧パネル８と後方の壁２との間に化粧パネル８の側縁と壁２との間から開口する配線収納用空所５０が形成されることを特徴とする。
【００１１】
また、前記棚受けアーム３３に、化粧パネル８側に開口し、引出部３５の前記配線収納用空所５０に連通する位置から少なくとも突出部３６の化粧パネル８よりも前方に位置する部位にまで連続する配線収納用溝５１を形成することが好ましい。
【００１２】
また、前記突出部３６から他方の突出部３６側の側方に向かって延びる配線収納部３４が形成されると共に該配線収納部３４が棚板７よりも後方に配置され、該配線収納部３４に左右に長い配線用溝５６が形成されることが好ましい。
【発明の効果】
【００１３】
請求項１に係る発明では、支持材を壁に取り付けて棚装置を強固に設置できる。また、支持材よりも左右幅が広い化粧パネルで支持材を隠すと共に、化粧パネルと後方の壁との間に形成された配線収納用空所に配線を収納してこの配線を化粧パネルで隠すことができ、外観を向上できる。また、配線の際、配線収納用空所の化粧パネルの側縁と壁との間に形成された開口を利用することができ、作業性も良い。
【００１４】
また請求項２に係る発明では、配線収納用空所から引き出した配線を配線収納用溝を通して棚装置上の電気機器に接続することができ、棚受けアームにて配線を隠して外観を一層向上できる。
【００１５】
また請求項３に係る発明では、配線収納用空所から引き出した配線を配線用溝を通して棚装置上の電気機器に接続することができ、配線収納部にて配線を隠して外観を一層向上できる。
【図面の簡単な説明】
【００１６】
【図１】本発明の実施形態の一例の棚装置を設置した状態を示す斜視図である。
【図２】同上の棚装置の上方の壁にテレビを取り付けた状態を示す斜視図である。
【図３】同上の棚装置の設置状態を示し、（ａ）は側面図であり、（ｂ）は正面図である。
【図４】図３（ａ）のＡ−Ａ断面図である。
【図５】同上の化粧パネルの下部と幅木よけとの接続構造を示す側断面図である。
【図６】同上の化粧パネルの上部と柱本体との接続構造を示す側断面図である。
【図７】同上の柱本体を示し、（ａ）は正面図、（ｂ）は底面図、（ｃ）は側面図である。
【図８】同上の幅木よけを示し、（ａ）は背面図、（ｂ）は（ａ）のＢ−Ｂ断面図、（ｃ）は平面図である。
【図９】同上のアーム支持体を示し、（ａ）は背面図、（ｂ）は側面図、（ｃ）は平面図である。
【図１０】同上の棚受けアームを示し、（ａ）は正面図、（ｂ）は平面図、（ｃ）は（ｂ）のＣ−Ｃ断面図である。
【発明を実施するための形態】
【００１７】
以下、本発明の実施形態の一例を添付図面に基づいて説明する。
【００１８】
図１に本実施形態の一例の棚装置１を示す。本例の棚装置１は図２のように壁２に取り付けられた液晶テレビやプラズマテレビ等の薄型のテレビ３の下方に設置され、テレビ３の周辺機器となるＤＶＤプレーヤーやビデオデッキ等の電気機器を載置するために用いられる。なお、テレビ３はねじ等の固着具を用いて直接壁２に取り付けられた取付具（図示せず）を介して壁２に取り付けられる。
【００１９】
図３のように、棚装置１は、部屋の壁２及び床４に固着される上下に長い支持材５と、支持材５から前方に向けて突設された棚受け６と、棚受け６によって支持される棚板７と、棚板７の後方に配置されて支持材５の前側を覆う化粧パネル８とで構成されている。
【００２０】
支持材５は、壁２に固着される支柱９と、支柱９の下端部に取り付けられて床４に固着される幅木よけ１０とで構成されている。支柱９は、柱状の柱本体１１と、柱本体１１に対して上下位置を変更可能に取り付けられるアーム支持体１２とで構成されている。
【００２１】
柱本体１１は金属製押出形材からなり、図７のように水平断面が前後厚みの薄い略長方形枠状となり、中空である。なお、柱本体１１は押出形材以外の材料からなるものであってもよい。
【００２２】
柱本体１１は背面を構成する後板部１３を壁２の幅木２０よりも上方の室内側の面に当接或いは近傍に配置した状態で壁２に固着され、これにより支柱９は幅木２０の上方に配置される。なお、本例の支柱９は前記テレビ３を壁２に取り付けるための取付具に取り付けられ、取付具を介して間接的に壁２に取り付けられることで、重量のあるテレビ３の荷重を受けることができるものであるが、ねじ等を用いて直接壁２に取り付けられるものであってもよい。また、支柱９は前記テレビ３を壁２に取り付けるための取付具と一体に設けてもよく、この場合もテレビ３の荷重を支柱９で負担することができる。
【００２３】
柱本体１１の前部は壁２の下端部に沿って設けられた幅木２０よりも前方に突出している。該柱本体１１の下端部の前部は後部よりも下方に突出し、幅木よけ取付部１４を構成している。幅木よけ取付部１４の前面部及び両側面部にはねじ孔からなる幅木よけ取付孔１５が穿設されている。
【００２４】
図８のように、幅木よけ１０は、水平断面で後方に開口するコ字状に形成された幅木覆い部１６と、幅木覆い部１６の下縁から前方及び両外側方に向けて一体に突出した水平なフランジ状の床固着部１７とで構成されている。幅木よけ１０の前後の厚みは柱本体１１の前後の厚みよりも薄い。
【００２５】
幅木覆い部１６の上部において、前面部の両側及び両側面部には貫通孔１８が穿設されている。幅木よけ１０を支柱９に取り付けるには、幅木覆い部１６の上部にて柱本体１１の幅木よけ取付部１４を被嵌し、各貫通孔１８に挿通したねじ１９を対応する幅木よけ取付孔１５に螺入する。幅木よけ１０は支柱９の前部から下方に向けて突出し、図５に示すように幅木覆い部１６にて幅木２０の長手方向の一部の前方を覆う。なお、本例の幅木よけ１０は支柱９と別体であるが、支柱９と一体に設けられてもよい。
【００２６】
図８に示すように床固着部１７の左右両側には孔２３が穿設されている。床固着部１７を床４に固着するには、各孔２３に通したねじ２４（図３参照）を床４に固着する。このように、支持材５は壁２と床４の両方に固着することができるため、棚装置１を強固に設置できる。
【００２７】
図７のように柱本体１１の前面を構成する前板部２１の両側と、左右両側の側面を構成する側板部２５の後部とには、雌ねじからなる取付用孔２６が上下に多数穿設されている。
【００２８】
図９に示すように、アーム支持体１２は、柱本体１１の上下方向の一部に取り付けられる本体固着部２７と、本体固着部２７から左右方向の両外側に向けて突出するアーム固着部２８で構成されている。
【００２９】
本体固着部２７には上下に亘って後方に開口する本体収納凹所２２が形成されている。本体固着部２７の上部及び下部における前面部及び両側面部には通孔２９が穿設されている。
【００３０】
アーム支持体１２を柱本体１１に取り付けるには、図４に示すように本体収納凹所２２に柱本体１１の上下方向の一部を収納して、本体固着部２７にて前方から柱本体１１を被嵌し、各通孔２９に通したビス３０を取付用孔２６に螺入する。各通孔２９に通されるビス３０は、柱本体１１に上下に多数組形成された取付用孔２６のうち、任意の取付用孔２６に螺入される。このビス３０が螺入される取付用孔２６を選択することにより、アーム支持体１２は柱本体１１に対する上下方向の取付位置が可変となっている。
【００３１】
図９に示すように各アーム固着部２８には後方及び外側方に開口するアーム収納溝３１が形成されている。各アーム固着部２８の前面部には複数の孔３２が穿設されている。
【００３２】
棚受け６は、支持材５の両側に設けられて支持材５よりも前方に突出する棚受けアーム３３と、両棚受けアーム３３の間に架設された別体の部材からなる配線収納部３４で構成されている。
【００３３】
図１０は向かって右側に位置する棚受けアーム３３を図示したものであり、両側の棚受けアーム３３は左右対称形状である。
【００３４】
各棚受けアーム３３は、支持材５から左右方向の外側に向けて突出する引出部３５と、引出部３５の突端部から前方に向けて突出する突出部３６で構成され、平面視でＬ字状に形成されている。
【００３５】
引出部３５の支持材５側の部分にはナット３７が複数設けられている。各棚受けアーム３３はアーム支持体１２に取り付けられる。各棚受けアーム３３をアーム支持体１２に取り付けるには、図４のように引出部３５を対応するアーム固着部２８のアーム収納溝３１に挿入し、各孔３２に通したビス３８を対応するナット３７に形成された雌ねじに螺入する。
【００３６】
図１０に示すように突出部３６の後部には他方の突出部３６側となる側方に向けて連結部４０が突設されている。図４のように各棚受けアーム３３の連結部４０の夫々には配線収納部３４の左右の端部がビス４１により連結され、これにより配線収納部３４は棚受けアーム３３に取り付けられる。なお、配線収納部３４は棚受けアーム３３と一体に設けてもよい。
【００３７】
突出部３６の連結部４０より前方に突出した部分で棚板支持部４３が構成され、棚板支持部４３の前後には孔４４が穿設されている。
【００３８】
棚板７は略矩形状で透明なガラス板からなる。棚板７は両側が各棚受けアーム３３の棚板支持部４３上に載置されて棚受け６に支持され、上方から棚板７及び孔４４に挿通したリベット等の固着具５４（図３（ａ）参照）により棚受け６に取り付けられる。
【００３９】
棚板７は配線収納部３４よりも前方に設けられ、支持材５の前方に隙間を介して配置される。これにより、棚板７の後方には、棚板７と、棚板７の後方に位置する支持材５と、両棚受けアーム３３の突出部３６で囲まれてなる上下に開口したパネル挿通口４２が形成される。
【００４０】
棚板７は柱本体１１に対するアーム支持体１２の上下方向の取付位置を変更することで、図３（ａ）の２点鎖線で示すように上下位置を段階的に変更することができるようになっている。また、前記配線収納部３４は棚板７で隠れるよう棚板７よりも下方に配置される。
【００４１】
化粧パネル８は支持材５よりも左右幅が広い矩形状に形成されている。図５及び図６に示すように化粧パネル８の背面上部の両側には上爪４６が突設され、また、化粧パネル８の背面の下部両側には下爪４７が突設されている。
【００４２】
柱本体１１の前板部２１の上部両側には縦長スリット状の上引掛け孔４８が穿設されている。また、幅木覆い部１６の前面部の両側には縦長スリット状の下引掛け孔４９が穿設されている。
【００４３】
化粧パネル８は、各上爪４６及び各下爪４７が上引掛け孔４８及び下引掛け孔４９の夫々に上方から引掛け係止されることにより、支持材５に着脱自在に取り付けられる。
【００４４】
このように化粧パネル８を支柱９と支柱９とは別体の幅木よけ１０に係止すると、化粧パネル８の支持材５に対する係止位置が上下に離すことができ、これによって支持材５に取り付けられた化粧パネル８のがたつきを抑えることができる。
【００４５】
支持材５に取り付けられた化粧パネル８は、図１のようにパネル挿通口４２に挿通されて棚板７の後方に配置される。このとき、化粧パネル８の下端はわずかな隙間を介して床４上に位置する。
【００４６】
この化粧パネル８にて支持材５の略全部（柱本体１１の略全部とアーム支持体１２の全部）、及び、各棚受けアーム３３の引出部３５の夫々の前側が覆われる。なお、本例では図３に示すように柱本体１１の上端がわずかに化粧パネル８よりも上方に突出し、同部の前方が壁２に取り付けられたテレビ３によって覆われるようにしてあるが、同部も化粧パネル８によって前方が覆われるようにしてもかまわない。
【００４７】
前記各棚受けアーム３３は、図４のように支持材５から化粧パネル８の後方及び左右方向の外側を回りこんで化粧パネル８よりも前方に突出する。具体的には、各棚受けアーム３３は、引出部３５が支持材５から化粧パネル８の後方を通過して化粧パネル８の側縁よりも外方に突出する位置まで引き出され、突出部３６が前記引出部３５の前記化粧パネル８の後方より引き出された端部から前方に向けて突出する。
【００４８】
このため、正面から見て支持材５が化粧パネル８の左右方向の外側に突出せず、化粧パネル８にて、支持材５、アーム支持体１２を柱本体１１に取り付けるためのビス３０や取付用孔２６、各棚受けアーム３３をアーム支持体１２に取り付けるためのビス３８を隠すことができ、外観を向上することができる。
【００４９】
また、化粧パネル８はその両側が支持材５よりも外側方に突出し、この化粧パネル８と後方の壁２の間には、両側方及び上方に開口する配線収納用空所５０が形成される。配線収納用空所５０は化粧パネル８の上縁と壁２との間から上方にも開口し、この開口から配線収納用空所５０に配線を導入できるようになっている。
【００５０】
配線収納用空所５０は、例えばテレビ３とその周辺機器となる棚板７上に載置された電気機器を接続する配線を収納するために利用される。配線収納用空所５０に収納された配線は前方の化粧パネル８によって覆い隠すことができる。配線収納用空所５０にテーブルタップ等の配線用器具を配置したり、化粧パネル８にて壁２に設けられたコンセントを隠したりすることもできる。また、この配線収納用空所５０は化粧パネル８の両側縁と壁２との間から開口しているため、この開口から配線収納用空所５０に配線を挿入する等、配線作業が容易になる。
【００５１】
また、化粧パネル８は、壁２に沿って設けた支持材５に棚受け６を取り付け、この棚受け６に棚板７を取り付けた状態において、パネル挿通口４２から上方に引き抜き、各上爪４６の上引掛け孔４８に対する係止を解除すると共に、各下爪４７の下引掛け孔４９に対する係止を解除することにより、支持材５から取り外すことができる。
【００５２】
このため、例えば棚板７に電気機器を載置した状態で、化粧パネル８をパネル挿通口４２から上方に引き抜き、次にテレビ３と電気機器を配線で接続し、この後、パネル挿通口４２に上方から化粧パネル８を挿入して支持材５に取り付ける等、化粧パネル８を取り外した状態で配線作業を行うことができ、またこの場合において、化粧パネル８の取り付け方向及び取り外し方向は上下方向となるので、棚板７に載置した電気機器に干渉することなくパネル挿通口４２から出し入れすることができ、配線作業は一層容易になる。
【００５３】
また、本例の棚装置１の棚受け６には、前記配線の配線収納用空所５０から外側に引き出された部分も隠すことができるようになっている。
【００５４】
具体的には、図４に示すように、各棚受けアーム３３の引出部３５及びこれに連続する突出部３６の後部は全長に亘って断面で化粧パネル８側に開口するコ字状に形成され、内部に化粧パネル８側に開口する配線収納用溝５１が形成されている。
【００５５】
配線収納用溝５１は、引出部３５に形成されて化粧パネル８側となる前方に開口する引出部側溝部５２と、突出部３６に形成されて化粧パネル８側となる側方に開口する突出部側溝部５３とで構成されている。
【００５６】
引出部側溝部５２は配線収納用空所５０に連通している。突出部側溝部５３の後端部は引出部側溝部５２に連続している。突出部側溝部５３の前端部は配線収納部３４の側方に位置して化粧パネル８よりも前方に配置され、突出部３６に設けられた板部５５により前方が閉塞されている。
【００５７】
また、前記両棚受けアーム３３の間に架設された配線収納部３４は左右に亘って上方に開口する断面略コ字状形成され、内部に上方に開口する配線用溝５６が形成されている。配線用溝５６の左右の両端開口は突出部側溝部５３の前端部に対向している。
【００５８】
この構成により、化粧パネル８の後方の配線収納用空所５０は、各棚受けアーム３３の配線収納用溝５１を介して配線用溝５６に通じる。このため、例えば配線を配線収納用空所５０から配線収納用溝５１と配線用溝５６に順に通した後、配線用溝５６の途中から上方に引き出し、これを棚板７上に載置された電気機器に接続することができる。この場合、配線収納用空所５０から引き出された配線が棚受けアーム３３や配線収納部３４によって隠すことができて、外観を向上することができる。
【００５９】
なお、配線収納用溝５１は配線収納用空所５０に連通する位置から少なくとも突出部３６の化粧パネル８よりも前方に位置する部位にまで連続するものであればよく、突出部３６の前部にまで延びるものであってもよい。また、配線用溝５６は配線収納部３４の長手方向における一部にのみ設けてあってもよい。また、配線収納部３４は両棚受けアーム３３の突出部３６の間に架設したが、一方の突出部３６から他方の突出部３６側に向けて突設してもよく、つまり、一方の突出部３６から他方の突出部３６側の側方に向かって延びるものであればよい。
【００６０】
また、本例の棚装置１はテレビ３よりも下方に位置する壁２に取り付けられ、棚板７上にテレビ３の周辺機器を載置するものであるが、勿論、棚装置１の取付位置や載置物はこれに限定されるものなく、適宜変更可能である。
【符号の説明】
【００６１】
１  棚装置
２  壁
５  支持材
７  棚板
８  化粧パネル
３３  棚受けアーム
３４  配線収納部
３５  引出部
３６  突出部
５０  配線収納用空所
５１  配線収納用溝
５６  配線用溝
【図１】
2010162074.tif 000003
【図２】
2010162074.tif 000004
【図３】
2010162074.tif 000005
【図４】
2010162074.tif 000006
【図５】
2010162074.tif 000007
【図６】
2010162074.tif 000008
【図７】
2010162074.tif 000009
【図８】
2010162074.tif 000010
【図９】
2010162074.tif 000011
【図１０】
2010162074.tif 000012